(57)【特許請求の範囲】
【請求項１】
通信媒体としてクレードル、人体又はフェムトセルを介して接続される、携帯可能な複数の通信端末を含む通信システムであって、
前記通信端末が、
自通信端末と他方の通信端末とが前記通信媒体を介して接続されているか否かを検出する検出手段と、
前記検出手段により自通信端末と前記他方の通信端末とが前記通信媒体を介して接続されていないと検出された際に、自通信端末と前記通信媒体とが接続されている場合に、自通信端末への着信を前記他方の通信端末へ転送するための通知をセンター装置へ通知する通知手段と、
を備えることを特徴とする通信システム。
【請求項２】
通信媒体としてクレードル、人体又はフェムトセルを介して接続される、携帯可能な複数の通信端末を含む通信システムにより実行される転送通知方法であって、
前記通信端末が、
自通信端末と他方の通信端末とが前記通信媒体を介して接続されているか否かを検出し、
自通信端末と前記他方の通信端末とが前記通信媒体を介して接続されていないと検出された際に、自通信端末と前記通信媒体とが接続されている場合に、自通信端末への着信を前記他方の通信端末へ転送するための通知をセンター装置へ通知する
ことを特徴とする転送通知方法。
【請求項３】
通信媒体としてクレードル、人体又はフェムトセルを介して接続される、携帯可能な複数の通信端末を含む通信システムで使用される前記通信端末であって、
前記通信端末である自通信端末と他方の通信端末とが前記通信媒体を介して接続されているか否かを検出する検出手段と、
前記検出手段により自通信端末と前記他方の通信端末とが前記通信媒体を介して接続されていないと検出された際に、自通信端末と前記通信媒体とが接続されている場合に、自通信端末への着信を前記他方の通信端末へ転送するための通知をセンター装置へ通知する通知手段と、
を備えることを特徴とする通信端末。
【請求項４】
通信媒体としてクレードル、人体又はフェムトセルを介して接続される、携帯可能な複数の通信端末を含む通信システムで使用される前記通信端末に、
前記通信端末である自通信端末と他方の通信端末とが前記通信媒体を介して接続されてか否かを検出する検出ステップと、
前記検出ステップにより自通信端末と前記他方の通信端末とが前記通信媒体を介して接続されていないと検出された際に、自通信端末と前記通信媒体とが接続されている場合に、自通信端末への着信を前記他方の通信端末へ転送するための通知をセンター装置へ通知する通知ステップと、
を実行させることを特徴とする転送通知プログラム。
【発明の詳細な説明】
【技術分野】
【０００１】
本発明は、通信システム、転送通知方法、通信端末及び転送通知プログラムに関する。
【背景技術】
【０００２】
従来、携帯電話やＰＨＳ（Personal Handy-phone System）などの通信端末には、自端末への着呼を他の通信端末に転送する機能を有するものがある。例えば、利用者が２つの通信端末Ｘ、Ｙを保有しているものとする。このとき、通信端末Ｙへの着呼を通信端末Ｘに転送するといった設定が行われている場合、例えば、通信端末Ｙへの着呼は通信端末Ｘに転送される。これにより、利用者は、通信端末Ｘだけを持ち出した場合であっても、通信端末Ｙへの着呼に応答することができる。
【０００３】
なお、近年では、複数の携帯電話において行われる処理に関連する技術として、近距離無線通信を用いて、複数の携帯電話に記録してある電話帳データを自動的に同一内容にする技術が提案されている。
【先行技術文献】
【特許文献】
【０００４】
【特許文献１】特開２００５−１２９９９０号公報
【特許文献２】特開２００７−３０６１６８号公報
【発明の概要】
【発明が解決しようとする課題】
【０００５】
しかしながら、上述した従来の技術では、利用者が持ち出した通信端末に着呼が転送されるとは限らないという問題がある。具体的には、上述した従来の技術では、利用者が転送元の通信端末と転送先の通信端末とを予め設定するが、利用者は、常に転送の設定内容を意識して通信端末を持ち出すとは限らない。このため、利用者が誤って転送元の通信端末を持ち出した場合には、利用者が持ち出した転送元の通信端末に着呼が転送されないこととなる。
【０００６】
例えば、上記の例において、利用者が、通信端末Ｙが転送元であり通信端末Ｘが転送先であることを意識せずに誤って転送元の通信端末Ｙを持ち出すと、残された通信端末Ｘへの着呼が転送元の通信端末Ｙへ転送されない。
【０００７】
開示の技術は、上記に鑑みてなされたものであって、利用者が持ち出した通信端末に着呼を転送することができる通信システム、転送通知方法、通信端末及び転送通知プログラムを提供することを目的とする。
【課題を解決するための手段】
【０００８】
本願の開示する通信システムは、一つの態様において、通信媒体を介して接続される第一の通信端末と第二の通信端末とを含む通信システムであって、前記第一の通信端末が、前記第一の通信端末と前記第二の通信端末とが前記通信媒体を介して接続されている状態において、前記第一の通信端末と前記第二の通信端末との接続状態を検出する検出手段と、前記検出手段により接続がないと検出された場合に、前記第一の通信端末と前記通信媒体との接続の有無に応じて、前記第一の通信端末への着信を前記第二の通信端末へ転送するための通知をセンター装置へ通知する通知手段と、を備える。
【発明の効果】
【０００９】
本願の開示する通信システムの一つの態様によれば、利用者が持ち出した通信端末に着呼を転送することができるという効果を奏する。
【図面の簡単な説明】
【００１０】
【図１】図１は、実施例１に係る通信システムによる転送通知方法を説明するための図である。
【図２】図２は、実施例１に係る通信端末の構成例を示す図である。
【図３】図３に、転送関連情報記憶部の一例を示す図である。
【図４】図４は、実施例１に係る通信端末のハードウェア構成図である。
【図５】図５は、実施例１に係る通信端末による転送通知処理の処理手順を示すフローチャートである。
【図６】図６は、センター装置による転送処理の処理手順を示すシーケンス図である。
【図７】図７は、実施例２に係る通信システムによる転送通知方法を説明するための図である。
【図８】図８は、実施例２に係る通信端末の構成例を示す図である。
【図９】図９は、実施例２に係る通信端末のハードウェア構成図である。
【図１０】図１０は、実施例２に係る通信端末による転送通知処理の処理手順を示すフローチャートである。
【図１１】図１１は、実施例３に係る通信システムによる転送通知方法を説明するための図である。
【図１２】図１２は、実施例３に係る通信端末の構成例を示す図である。
【図１３】図１３は、実施例３に係る通信端末のハードウェア構成図である。
【図１４】図１４は、実施例３に係る通信端末による転送通知処理の処理手順を示すフローチャートである。
【図１５】図１５は、転送通知プログラムを実行するコンピュータを示す図である。
【発明を実施するための形態】
【００１１】
以下に、本願の開示する通信システム、転送通知方法、通信端末及び転送通知プログラムの実施例を図面に基づいて詳細に説明する。なお、この実施例は開示の技術を限定するものではない。
【実施例１】
【００１２】
まず、図１を用いて、実施例１に係る通信システムによる転送通知方法を説明する。図１は、実施例１に係る通信システムによる転送通知方法を説明するための図である。図１では、２台の通信端末１００ａ、１００ｂが存在する例を示す。
【００１３】
実施例１に係る通信端末１００ａ、１００ｂは、複数の通信端末によって形成されるグループ（以下「通信端末グループ」という）に属する。ここで、通信端末グループとは、通信端末の利用者によって形成され、相互に着呼の転送先となる複数の通信端末が属するグループを示す。すなわち、同一の通信端末グループに属する通信端末は、相互に着呼の転送が行われる。そして、通信端末１００ａ、１００ｂは、通信端末グループを識別するための認証コードを保持する。
【００１４】
ここで、図１に示した例において、通信端末１００ａ、１００ｂは、同一の利用者によって保有されており、同一の通信端末グループに属するものとする。このため、図１に示す例では、通信端末１００ａ、１００ｂは、通信端末グループを識別するための認証コードとして、「ＸＸＸ」をともに保持する。また、図１に示した例では、通信端末１００ａの電話番号は、「ＡＡＡ」であるものとし、通信端末１００ｂの電話番号は、「ＢＢＢ」であるものとする。
【００１５】
また、図１に示した例では、通信端末１００ａ、１００ｂは、相互に同一の通信媒体であるクレードル１０に接続しているものとする。クレードル１０には、通信端末１００ａ、１００ｂへの充電を行う充電用回路と、通信端末１００ａ、１００ｂ間の通信を仲介する通信回路とが搭載されている。
【００１６】
このような構成の下で、通信端末１００ａは、自端末と同一のクレードル１０に接続する通信端末１００ｂとの間でクレードル１０の通信回路を用いた通信（以下「クレードル通信」という）を行う（図１の（１）参照）。具体的には、通信端末１００ａは、自端末がクレードル１０に接続されると、クレードル１０の通信回路を経由して通信端末１００ｂとの間で通信リンクを確立することにより、クレードル通信を実施する。
【００１７】
そして、通信端末１００ａは、クレードル通信を行う通信端末１００ｂが、自端末と同一の通信端末グループに属するか否かを認証する（図１の（２）参照）。具体的には、通信端末１００ａは、自端末が保持する認証コードと、通信端末１００ｂが保持する認証コードとが一致するか否かを認証する。図１に示した例では、通信端末１００ａは認証コード「ＸＸＸ」を保持し、通信端末１００ｂは認証コード「ＸＸＸ」を保持する。したがって、通信端末１００ａは、認証の結果、通信端末１００ｂが自端末と同一の通信端末グループに属すると判定する。
【００１８】
そして、通信端末１００ａは、クレードル通信を行う他の通信端末が自端末と同一の通信端末グループに属すると判定された場合に、クレードル通信を用いて他の通信端末から電話番号を取得する。そして、通信端末１００ａは、クレードル通信を用いて電話番号を取得した他の通信端末（以下「取得通信端末」という）のリスト（以下「取得リスト」という）を記憶する（図１の（３）参照）。図１に示した例では、通信端末１００ａは、認証の結果、クレードル通信を用いて通信端末１００ｂから電話番号「ＢＢＢ」を取得し、取得通信端末として通信端末１００ｂを含む取得リストを記憶する。
【００１９】
同様に、通信端末１００ｂは、自端末と同一のクレードル１０に接続する通信端末１００ａとの間でクレードル通信を行う。そして、通信端末１００ｂは、クレードル通信を行う通信端末１００ａが、自端末と同一の通信端末グループに属するか否かを認証する。そして、通信端末１００ｂは、認証の結果、クレードル通信を用いて通信端末１００ａから電話番号「ＡＡＡ」を取得し、取得通信端末として通信端末１００ａを含む取得リストを記憶する。
【００２０】
このように、通信端末１００ａ、１００ｂは、自端末と同一のクレードル１０に接続する他の通信端末との間でクレードル通信を行い、クレードル通信を行う他の通信端末が自端末と同一の通信端末グループに属するか否かを認証する。そして、通信端末１００ａ、１００ｂは、認証の結果、クレードル通信を用いて他の通信端末から電話番号を取得し、取得通信端末を含む取得リストを記憶する。
【００２１】
ここで、通信端末１００ａ、１００ｂのうちどちらかが利用者によって持ち出された場合、通信端末１００ａ、１００ｂのクレードル１０への接続状態が変化する。例えば、図１に例示するように、通信端末１００ａ、１００ｂのうち通信端末１００ａが利用者により持ち出され、通信端末１００ｂが利用者により持ち出されていないものとする。この場合、通信端末１００ａはクレードル１０に接続しなくなるが、通信端末１００ｂはクレードル１０に継続して接続する。このような場合に、通信端末１００ａ、１００ｂは、自端末のクレードル１０への接続状態を検出し、その検出結果に基づいて、取得通信端末を着呼の転送先にするか否かを決定する。なお、以下では、取得通信端末のうち着呼の転送先となる通信端末のリストを「転送先リスト」と呼ぶことがある。
【００２２】
図１を用いて具体的に説明する。通信端末１００ａは、通信端末１００ｂを含む取得リストを記憶した場合に、自端末がクレードル１０に接続しているか否かを検出する（図１の（４）参照）。図１に示した例では、通信端末１００ａは、利用者により持ち出されているため、通信端末１００ａは、自端末がクレードル１０に接続していないと検出する。
【００２３】
そして、通信端末１００ａは、自端末のクレードル１０への接続状態の検出結果に基づいて、取得通信端末を着呼の転送先にするか否かを決定する（図１の（５）参照）。図１に示した例では、通信端末１００ａは、自端末がクレードル１０に接続していないと検出するため、通信端末１００ｂを取得リストから削除して、転送先リストに通信端末１００ｂを追加しない。
【００２４】
同様に、通信端末１００ｂは、通信端末１００ａを含む取得リストを記憶した場合に、自端末がクレードル１０に接続しているか否かを検出し、その検出結果に基づいて、取得通信端末を着呼の転送先にするか否かを決定する。図１に示した例では、通信端末１００ｂは、自端末がクレードル１０に接続していると検出し、転送先リストに通信端末１００ａを追加する。そして、通信端末１００ｂは、転送先リストに含まれる通信端末１００ａの電話番号を、転送処理を行うセンター装置へ通知する。
【００２５】
これにより、センター装置は、通信端末１００ｂに着呼があった場合に、通信端末１００ｂへの着呼を通信端末１００ａに転送する。一方、センター装置は、通信端末１００ａに着呼があった場合に、通信端末１００ａへの着呼を通信端末１００ｂに転送しない。すなわち、利用者が持ち出した通信端末１００ａが自動的に着呼の転送先に設定されるとともに、利用者が持ち出していない通信端末１００ｂが自動的に着呼の転送元に設定される。このため、通信端末１００ａを持ち出した利用者は、特に煩わしい転送設定作業を行うことなく、また、転送の設定内容を意識することなく、通信端末１００ｂへの着呼に対して通信端末１００ａを用いて応答することができる。
【００２６】
次に、図２を用いて、実施例１に係る通信端末１００の構成について説明する。図２は、実施例１に係る通信端末１００の構成例を示す図である。なお、図２に示した通信端末１００は、図１に示した通信端末１００ａ、１００ｂに対応する。
【００２７】
図２に示すように、通信端末１００は、入力部１１０と、出力部１２０と、無線通信部１３０と、制御部１４０と、転送関連情報記憶部１５０と、転送制御部１６０とを有する。
【００２８】
入力部１１０は、各種情報や操作指示を入力するための入力デバイスであり、例えば、数字及び文字等を入力するテンキーや、メニュー選択及び表示スクロール等に用いられるカーソルキー等である。出力部１２０は、各種情報を出力する出力デバイスであり、例えば、液晶ディスプレイやスピーカである。
【００２９】
無線通信部１３０は、携帯電話網５０との間で無線通信を行う。例えば、無線通信部１３０は、Ｗ−ＣＤＭＡ（Wideband Code Division Multiple Access）における通信や通話に関する処理を行うベースバンドプロセッサ等である。
【００３０】
制御部１４０は、通信端末１００における各種処理を全体制御する。具体的には、制御部１４０は、入力部１１０、出力部１２０、無線通信部１３０、転送制御部１６０等による処理の管理や制御を行う。なお、制御部１４０は、例えば、中央演算処理装置（ＣＰＵ：Central Processing Unit）等である。
【００３１】
転送関連情報記憶部１５０は、転送先の決定に関連する各種の情報を記憶する。図３に、転送関連情報記憶部１５０の一例を示す。図３に示すように、転送先情報記憶部は、「認証コード」、「電話番号」、「取得リスト」、「転送先リスト」といった項目を有する。
【００３２】
図３に示した転送関連情報記憶部１５０の各項目のうち、「認証コード」は、通信端末グループを識別するためのコードを示す。また、「電話番号」は、通信端末１００の電話番号を示す。
【００３３】
また、「取得リスト」は、通信端末１００が電話番号を取得した取得通信端末を示す。なお、図３に示した例では、「取得リスト」には、取得通信端末の電話番号が記憶される例を示している。
【００３４】
また、「転送先リスト」は、取得通信端末のうち着呼の転送先となる通信端末を示す。なお、図３に示した例では、「転送先リスト」には、取得通信端末のうち着呼の転送先となる通信端末の電話番号が記載される例を示している。
【００３５】
図３に示した転送関連情報記憶部１５０は、通信端末１００が認証コード「ＸＸＸ」によって示される通信端末グループに属することを示している。また、図３に示した転送関連情報記憶部１５０は、通信端末１００の電話番号が「ＢＢＢ」であることを示している。また、図３に示した転送関連情報記憶部１５０は、通信端末１００が電話番号を取得した取得通信端末の該電話番号が「ＡＡＡ」であることを示している。また、図３に示した転送関連情報記憶部１５０は、取得通信端末のうち着呼の転送先となる通信端末の電話番号が「ＡＡＡ」であることを示している。すなわち、図３に示した転送関連情報記憶部１５０は、図１に示した通信端末１００ｂが保持する転送先関連情報記憶部の例を示している。
【００３６】
図２の説明に戻り、転送制御部１６０は、着呼の転送先を決定する処理を行う。図２に示すように、転送制御部１６０は、クレードル通信実行部１６１と、認証部１６２と、電話番号取得部１６３と、接続状態検出部１６４と、転送先通知部１６５とを有する。
【００３７】
クレードル通信実行部１６１は、通信端末１００と同一のクレードルに接続する他の通信端末との間でクレードル通信を行う。具体的には、クレードル通信実行部１６１は、通信端末１００がクレードルに接続されると、クレードルの通信回路を経由して他の通信端末との間で通信リンクを確立することにより、クレードル通信を実施する。
【００３８】
認証部１６２は、クレードル通信が行われる他の通信端末が通信端末１００と同一の通信端末グループに属するか否かを判定する。具体的には、認証部１６２は、通信端末１００が保持する認証コードと、他の通信端末が保持する認証コードとが一致するか否かを認証することにより、通信端末１００と同一の通信端末グループに属するか否かを判定する。
【００３９】
電話番号取得部１６３は、認証部１６２によって通信端末１００と同一の通信端末グループに属すると判定された場合に、クレードル通信を用いて他の通信端末から電話番号を取得する。そして、電話番号取得部１６３は、電話番号を取得した他の通信端末を取得通信端末として転送関連情報記憶部１５０の取得リストに記憶させる。
【００４０】
接続状態検出部１６４は、電話番号取得部１６３によって取得通信端末が取得リストに記憶されると、通信端末１００がクレードルに接続しているか否かを検出する。例えば、接続状態検出部１６４は、通信端末１００の充電用端子とクレードルの充電用回路との間の接触抵抗値の変化を監視することにより、通信端末１００がクレードルに接続しているか否かを検出する。
【００４１】
転送先通知部１６５は、接続状態検出部１６４による検出結果に基づいて、取得通信端末を着呼の転送先にするか否かを決定する。具体的には、転送先通知部１６５は、接続状態検出部１６４により通信端末１００がクレードルに接続していないと検出された場合には、取得通信端末を取得リストから削除する。一方、転送先通知部１６５は、接続状態検出部１６４により通信端末１００がクレードルに接続していると検出された場合には、取得通信端末を転送先リストに記憶させる。そして、転送先通知部１６５は、転送先リストに含まれる通信端末の電話番号を、転送処理を行うセンター装置へ通知する。
【００４２】
なお、転送先通知部１６５から転送先の電話番号を受信したセンター装置は、通信端末１００を識別するための識別子に対応付けて、受信した転送先の電話番号を所定の記憶部に登録する。そして、センター装置は、通信端末１００に着呼があった場合に、通信端末１００の電話番号に対応する転送先の電話番号が記憶部に登録されているか否かを確認する。そして、センター装置は、通信端末１００の電話番号に対応する転送先の電話番号が記憶部に登録されている場合には、通信端末１００への着呼を転送先の電話番号に転送する。
【００４３】
例えば、センター装置が、通信端末１００の転送先通知部１６５から、転送先の電話番号「ＮＮＮ」を受信したものとする。かかる場合に、センター装置は、例えば、通信端末１００の電話番号に対応付けて、転送先の電話番号「ＮＮＮ」を記憶部に記憶する。そして、センター装置は、通信端末１００に着呼があった場合に、通信端末１００の電話番号に対応する転送先の電話番号「ＮＮＮ」が記憶部に登録されていることを確認し、通信端末１００への着呼を転送先の電話番号「ＮＮＮ」に転送する。
【００４４】
次に、図４を用いて、図２に示した通信端末１００のハードウェア構成例について説明する。図４は、実施例１に係る通信端末１００のハードウェア構成図である。図４に示すように、通信端末１００は、操作入出力部１１０ａと、表示部１２０ａと、音声入出力部１２０ｂと、マイク１２１と、スピーカ１２２と、無線通信部１３０ａと、アンテナ１３１と、記憶部１５０ａと、プロセッサ１６０ａとを有する。また、通信端末１００は、充電用回路１０１ａと、シリアル通信部１０１ｂと、充電用端子１０１とを有する。
【００４５】
充電用回路１０１ａ、シリアル通信部１０１ｂと、操作入出力部１１０ａ、表示部１２０ａ、音声入出力部１２０ｂ及び無線通信部１３０ａは、プロセッサ１６０ａと接続される。また、マイク１２１及びスピーカ１２２は、音声入出力部１２０ｂと接続される。また、アンテナ１３１は、無線通信部１３０ａと接続される。また、充電用端子１０１は、充電用回路１０１ａ及びシリアル通信部１０１ｂと接続される。
【００４６】
操作入出力部１１０ａは、例えば、図２に示した入力部１１０に対応する。また、表示部１２０ａ、音声入出力部１２０ｂ、マイク１２１及びスピーカ１２２は、例えば、図２に示した出力部１２０に対応する。また、無線通信部１３０ａは、例えば、図２に示した無線通信部１３０に対応する。
【００４７】
記憶部１５０ａ及びプロセッサ１６０ａは、図２に示した制御部１４０や転送制御部１６０の機能を実現する。具体的には、記憶部１５０ａのプログラム記憶部１５１ａは、図２に示した転送制御部１６０による処理を実現する各種プログラムを記憶する。また、データ記憶部１５２ａやＲＡＭ１５３ａは、図２に示した転送関連情報記憶部１５０を記憶する。そして、プロセッサ１６０ａは、プログラム記憶部１５１ａに格納されている各種プログラムを読み出して、例えば、ＲＡＭ１５３ａ等に展開し、順次実行することで転送制御部１６０の各種機能を実現する。
【００４８】
次に、実施例１に係る通信端末１００による転送通知処理について説明する。図５は、実施例１に係る通信端末１００による転送通知処理の処理手順を示すフローチャートである。
【００４９】
図５に示すように、クレードル通信実行部１６１は、通信端末１００がクレードルに接続されると（ステップＳ１０１肯定）、通信端末１００と同一のクレードルに接続する他の通信端末に対して接続要求を送信する（ステップＳ１０２）。
【００５０】
そして、クレードル通信実行部１６１は、接続要求に対する接続応答を他の通信端末から受信したか否かを判定する（ステップＳ１０３）。クレードル通信実行部１６１は、接続応答を他の通信端末から受信していない場合には（ステップＳ１０３否定）、所定の時間だけ待機し（ステップＳ１０４）、他の通信端末に対して接続要求を再度送信する（ステップＳ１０２）。
【００５１】
一方、クレードル通信実行部１６１は、接続応答を他の通信端末から受信した場合には（ステップＳ１０３肯定）、クレードルの通信回路を経由して通信端末との間で通信リンクを確立する（ステップＳ１０５）。これにより、クレードル通信実行部１６１は、通信端末１００と同一のクレードルに接続する他の通信端末との間でクレードル通信を実施する。
【００５２】
そして、認証部１６２は、通信端末１００が保持する認証コードと、他の通信端末が保持する認証コードとが一致するか否かを判定する（ステップＳ１０６）。通信端末１００が保持する認証コードと、他の通信端末が保持する認証コードとが一致しない場合には（ステップＳ１０６否定）、クレードル通信実行部１６１は、クレードル通信を切断し（ステップＳ１０７）、処理をステップＳ１０１に戻す。
【００５３】
一方、認証部１６２によって通信端末１００が保持する認証コードと、他の通信端末が保持する認証コードとが一致すると判定された場合には（ステップＳ１０６肯定）、電話番号取得部１６３は、クレードル通信を用いて他の通信端末から電話番号を取得する。そして、電話番号取得部１６３は、電話番号を取得した他の通信端末を取得通信端末として転送関連情報記憶部１５０の取得リストに記憶させる（ステップＳ１０８）。
【００５４】
そして、通信端末１００は、ステップＳ１０５にて他の通信端末との間で確立された通信リンクが切断されたか否かを判定する（ステップＳ１０９）。通信端末１００は、他の通信端末との間で確立された通信リンクが切断された場合には（ステップＳ１０９肯定）、処理をステップＳ１１０に進める。一方、通信端末１００は、他の通信端末との間で確立された通信リンクが切断されていない場合には（ステップＳ１０９否定）、該通信リンクが切断されるまで待機する。
【００５５】
そして、接続状態検出部１６４は、他の通信端末との間で確立された通信リンクが切断されると、通信端末１００がクレードルに接続しているか否かを検出する（ステップＳ１１０）。具体的には、接続状態検出部１６４は、通信端末１００の充電用端子とクレードルの充電用回路との間の接触抵抗値の変化を監視することにより、通信端末１００がクレードルに接続しているか否かを検出する。そして、転送先通知部１６５は、接続状態検出部１６４により通信端末１００がクレードルに接続していないと検出された場合には（ステップＳ１１０否定）、取得通信端末を取得リストから削除する（ステップＳ１１１）。
【００５６】
一方、転送先通知部１６５は、接続状態検出部１６４により通信端末１００がクレードルに接続していると検出された場合には（ステップＳ１１０肯定）、取得通信端末を転送関連情報記憶部１５０の転送先リストに記憶させる（ステップＳ１１２）。そして、転送先通知部１６５は、転送先リストに含まれる通信端末の電話番号を、転送処理を行うセンター装置へ通知する（ステップＳ１１３）。
【００５７】
次いで、センター装置による転送処理について説明する。図６は、センター装置による転送処理の処理手順を示すシーケンス図である。ここでは、図１に示す通信端末１００ｂの転送先通知部１６５が転送リストに含まれる通信端末１００ａの電話番号をセンター装置へ通知したものとする。また、通信端末１００ｂの転送先通知部１６５から転送先である通信端末１００ａの電話番号を受信したセンター装置は、通信端末１００ｂの電話番号に対応付けて、通信端末１００ａの電話番号を所定の記憶部に登録したものとする。
【００５８】
図６に示すように、センター装置は、発信元の端末から通信端末１００ｂに発呼が行われた場合に（ステップＳ２０１）、通信端末１００ｂの電話番号に対応する転送先の電話番号が内部の記憶部に登録されているか否かを確認する（ステップＳ２０２）。
【００５９】
そして、センター装置は、通信端末１００ｂの電話番号に対応する転送先である通信端末１００ａの電話番号が登録されているので（ステップＳ２０３肯定）、着呼の対象を通信端末１００ｂから通信端末１００ａに切り替える（ステップＳ２０４）。そして、センター装置は、着呼の対象となった通信端末１００ａに呼接続を行う（ステップＳ２０５）。これにより、発信元の端末と通信端末１００ａとの間で通話が開始される（ステップＳ２０６）。
【００６０】
なお、センター装置は、通信端末１００ｂの電話番号に対応する転送先の電話番号が登録されていない場合には（ステップＳ２０３否定）、着呼の対象を切り替えることなく通信端末１００ｂに呼接続を行う（ステップＳ２０５）。
【００６１】
上述してきたように、実施例１に係る通信端末１００は、自端末と同一のクレードルに接続する他の通信端末から電話番号を取得する。そして、通信端末１００は、他の通信端末から電話番号を取得すると、自端末がクレードルに接続しているか否かを検出する。そして、通信端末１００は、自端末のクレードルへの接続状態の検出結果に基づいて、電話番号を取得した取得通信端末を着呼の転送先にするか否かを決定する。すなわち、通信端末１００は、自端末がクレードルに接続していない場合には、取得通信端末を取得リストから削除して着呼の転送先にしないと決定する。また、通信端末１００は、自端末がクレードルに接続している場合には、取得通信端末を転送先リストに記憶させて着呼の転送先にすると決定する。
【００６２】
このため、実施例１に係る通信端末１００は、利用者が持ち出した通信端末を自動的に着呼の転送先に設定するとともに、利用者が持ち出していない通信端末を自動的に着呼の転送元に設定することができる。これにより、実施例１に係る通信端末１００は、利用者が持ち出した通信端末に着呼を転送することができる。
【００６３】
また、実施例１に係る通信端末１００は、クレードル通信を行う他の通信端末が同一の通信端末グループに属するか否かを認証し、同一の通信端末グループに属すると判定された他の通信端末から電話番号を取得する。
【００６４】
これにより、実施例１に係る通信端末１００は、同一の通信端末グループに属する通信端末のみから電話番号の取得を行うことになるので、通信端末グループに属さない通信端末が通信端末グループに不正にアクセスすることを防止することができる。
【実施例２】
【００６５】
上記実施例１では、自端末と同一のクレードルに接続する他の通信端末から電話番号を取得し、自端末のクレードルへの接続状態に基づいて、他の通信端末を着呼の転送先にするか否かを決定する通信端末について説明した。しかし、自端末と同一の人体に接続する他の通信端末から電話番号を取得し、自端末の人体への接続状態に基づいて、他の通信端末を着呼の転送先にするか否かを決定するようにしてもよい。そこで、実施例２では、自端末と同一の人体に接続する他の通信端末から電話番号を取得し、自端末の人体への接続状態に基づいて、他の通信端末を着呼の転送先にするか否かを決定する通信端末について説明する。
【００６６】
まず、図７を用いて、実施例２に係る通信システムによる転送通知方法について説明する。図７は、実施例２に係る通信システムによる転送通知方法を説明するための図である。図７では、２台の通信端末２００ａ、２００ｂが存在する例を示す。
【００６７】
ここで、図７に示した例において、通信端末２００ａ、２００ｂは、同一の利用者によって保有されており、同一の通信端末グループに属するものとする。このため、図７に示す例では、通信端末２００ａ、２００ｂは、通信端末グループを識別するための認証コードとして、「ＸＸＸ」をともに保持する。また、図７に示した例では、通信端末２００ａの電話番号は、「ＡＡＡ」であるものとし、通信端末２００ｂの電話番号は、「ＢＢＢ」であるものとする。
【００６８】
また、図７に示した例では、通信端末２００ａ、２００ｂは、実施例１と異なり、相互に同一の通信媒体である人体２０に接続しているものとする。人体２０は、通信端末２００ａ、２００ｂを保有する利用者の人体である。
【００６９】
このような構成の下で、通信端末２００ａは、自端末と同一の人体２０に接続する通信端末２００ｂとの間で人体２０を用いた通信（以下「人体通信」という）を行う（図７の（１）参照）。具体的には、通信端末２００ａは、自端末が人体２０に接続されると、人体２０を経由して通信端末２００ｂとの間で通信リンクを確立することにより、人体通信を実施する。
【００７０】
そして、通信端末２００ａは、人体通信を行う通信端末２００ｂが、自端末と同一の通信端末グループに属するか否かを認証する（図７の（２）参照）。具体的には、通信端末２００ａは、自端末が保持する認証コードと、通信端末２００ｂが保持する認証コードとが一致するか否かを認証する。図７に示した例では、通信端末２００ａは認証コード「ＸＸＸ」を保持し、通信端末２００ｂは認証コード「ＸＸＸ」を保持する。したがって、通信端末２００ａは、認証の結果、通信端末２００ｂが自端末と同一の通信端末グループに属すると判定する。
【００７１】
そして、通信端末２００ａは、人体通信を行う他の通信端末が自端末と同一の通信端末グループに属すると判定された場合に、人体通信を用いて他の通信端末から電話番号を取得する。そして、通信端末２００ａは、人体通信を用いて電話番号を取得した他の通信端末（以下「取得通信端末」という）のリスト（以下「取得リスト」という）を記憶する（図７の（３）参照）。図７に示した例では、通信端末２００ａは、認証の結果、人体通信を用いて通信端末２００ｂから電話番号「ＢＢＢ」を取得し、取得通信端末として通信端末２００ｂを含む取得リストを記憶する。
【００７２】
同様に、通信端末２００ｂは、自端末と同一の人体２０に接続する通信端末２００ａとの間で人体通信を行う。そして、通信端末２００ｂは、人体通信を行う通信端末２００ａが、自端末と同一の通信端末グループに属するか否かを認証する。そして、通信端末２００ｂは、認証の結果、人体通信を用いて通信端末２００ａから電話番号「ＡＡＡ」を取得し、取得通信端末として通信端末２００ａを含む取得リストを記憶する。
【００７３】
このように、通信端末２００ａ、２００ｂは、自端末と同一の人体２０に接続する他の通信端末との間で人体通信を行い、人体通信を行う他の通信端末が自端末と同一の通信端末グループに属するか否かを認証する。そして、通信端末２００ａ、２００ｂは、認証の結果、人体通信を用いて他の通信端末から電話番号を取得し、取得通信端末を含む取得リストを記憶する。
【００７４】
ここで、通信端末２００ａ、２００ｂのうちどちらかが利用者によって持ち出された場合、通信端末２００ａ、２００ｂの人体２０への接続状態が変化する。例えば、図７に例示するように、通信端末２００ａ、２００ｂのうち通信端末２００ａが利用者により持ち出され、通信端末２００ｂが利用者により持ち出されていないものとする。この場合、通信端末２００ａは人体２０に継続して接続するが、通信端末２００ｂは人体２０に接続しなくなる。このような場合に、通信端末２００ａ、２００ｂは、自端末の人体２０への接続状態を検出し、その検出結果に基づいて、取得通信端末を着呼の転送先にするか否かを決定する。なお、以下では、取得通信端末のうち着呼の転送先となる通信端末のリストを「転送先リスト」と呼ぶことがある。
【００７５】
図７を用いて具体的に説明する。通信端末２００ａは、通信端末２００ｂを含む取得リストを記憶した場合に、自端末が人体２０に接続しているか否かを検出する（図７の（４）参照）。図７に示した例では、通信端末２００ａは、利用者により持ち出されているため、通信端末２００ａは、自端末が利用者の人体２０に接続していると検出する。
【００７６】
そして、通信端末２００ａは、自端末の人体２０への接続状態の検出結果に基づいて、取得通信端末を着呼の転送先にするか否かを決定する（図７の（５）参照）。図７に示した例では、通信端末２００ａは、自端末が人体２０に接続していると検出するため、通信端末２００ｂを取得リストから削除して、転送先リストに通信端末２００ｂを追加しない。
【００７７】
同様に、通信端末２００ｂは、通信端末２００ａを含む取得リストを記憶した場合に、自端末が人体２０に接続しているか否かを検出し、その検出結果に基づいて、取得通信端末を着呼の転送先にするか否かを決定する。図７に示した例では、通信端末２００ｂは、自端末が人体２０に接続していないと検出し、転送先リストに通信端末２００ａを追加する。そして、通信端末２００ｂは、転送先リストに含まれる通信端末２００ａの電話番号を、転送処理を行うセンター装置へ通知する。
【００７８】
これにより、センター装置は、通信端末２００ｂに着呼があった場合に、通信端末２００ｂへの着呼を通信端末２００ａに転送する。一方、センター装置は、通信端末２００ａに着呼があった場合に、通信端末２００ａへの着呼を通信端末２００ｂに転送しない。すなわち、利用者が持ち出した通信端末２００ａが自動的に着呼の転送先に設定されるとともに、利用者が持ち出していない通信端末２００ｂが自動的に着呼の転送元に設定される。このため、通信端末２００ａを持ち出した利用者は、特に煩わしい転送設定作業を行うことなく、また、転送の設定内容を意識することなく、通信端末２００ｂへの着呼に対して通信端末２００ａを用いて応答することができる。
【００７９】
次に、図８を用いて、実施例２に係る通信端末２００の構成について説明する。図８は、実施例２に係る通信端末２００の構成例を示す図である。なお、図８に示した通信端末２００は、図７に示した通信端末２００ａ、２００ｂに対応する。
【００８０】
図８に示すように、通信端末２００は、入力部１１０と、出力部１２０と、無線通信部１３０と、制御部１４０と、転送関連情報記憶部１５０と、転送制御部２６０とを有する。このうち、図８に示す入力部１１０、出力部１２０、無線通信部１３０、制御部１４０、転送関連情報記憶部１５０の説明は、図２に示した入力部１１０、出力部１２０、無線通信部１３０、制御部１４０、転送関連情報記憶部１５０の説明と同様である。
【００８１】
転送制御部２６０は、着呼の転送先を決定する処理を行う。図８に示すように、転送制御部２６０は、人体通信実行部２６１と、認証部２６２と、電話番号取得部２６３と、接続状態検出部２６４と、転送先通知部２６５とを有する。
【００８２】
人体通信実行部２６１は、通信端末２００と同一の利用者の人体に接続する他の通信端末との間で人体通信を行う。具体的には、人体通信実行部２６１は、通信端末２００が利用者の人体に接続されると、人体を経由して他の通信端末との間で通信リンクを確立することにより、人体通信を実施する。
【００８３】
認証部２６２は、人体通信が行われる他の通信端末が通信端末２００と同一の通信端末グループに属するか否かを判定する。具体的には、認証部２６２は、通信端末２００が保持する認証コードと、他の通信端末が保持する認証コードとが一致するか否かを認証することにより、通信端末２００と同一の通信端末グループに属するか否かを判定する。
【００８４】
電話番号取得部２６３は、認証部２６２によって通信端末２００と同一の通信端末グループに属すると判定された場合に、人体通信を用いて他の通信端末から電話番号を取得する。そして、電話番号取得部２６３は、電話番号を取得した他の通信端末を取得通信端末として転送関連情報記憶部１５０の取得リストに記憶させる。
【００８５】
接続状態検出部２６４は、電話番号取得部２６３によって取得通信端末が取得リストに記憶されると、通信端末２００が人体に接続しているか否かを検出する。例えば、接続状態検出部２６４は、通信端末２００の筐体と人体との間の接触抵抗値の変化を監視することにより、通信端末２００が人体に接続しているか否かを検出する。
【００８６】
転送先通知部２６５は、接続状態検出部２６４による検出結果に基づいて、取得通信端末を着呼の転送先にするか否かを決定する。具体的には、転送先通知部２６５は、接続状態検出部２６４により通信端末２００が人体に接続していると検出された場合には、取得通信端末を取得リストから削除する。一方、転送先通知部２６５は、接続状態検出部２６４により通信端末２００が人体に接続していないと検出された場合には、取得通信端末を転送先リストに記憶させる。そして、転送先通知部２６５は、転送先リストに含まれる通信端末の電話番号を、転送処理を行うセンター装置へ通知する。
【００８７】
次に、図９を用いて、図８に示した通信端末２００のハードウェア構成例について説明する。図９は、実施例２に係る通信端末２００のハードウェア構成図である。なお、以下では、図４に示した構成部位と同一の構成部位には同一の符号を付してその詳細な説明を省略する。図９に示すように、通信端末２００は、操作入力部１１０ａと、表示部１２０ａと、音声入出力部１２０ｂと、マイク１２１と、スピーカ１２２と、無線通信部１３０ａと、アンテナ１３１と、記憶部２５０ａと、プロセッサ２６０ａとを有する。また、通信端末２００は、人体通信部２０１ａと、電極２０１とを有する。
【００８８】
人体通信部２０１ａは、プロセッサ２６０ａと接続される。また、電極２０１は、人体通信部２０１ａと接続される。
【００８９】
記憶部２５０ａ及びプロセッサ２６０ａは、図８に示した制御部１４０や転送制御部２６０の機能を実現する。具体的には、記憶部２５０ａのプログラム記憶部２５１ａは、図８に示した転送制御部２６０による処理を実現する各種プログラムを記憶する。また、データ記憶部２５２ａやＲＡＭ２５３ａは、図８に示した転送関連情報記憶部１５０を記憶する。そして、プロセッサ２６０ａは、プログラム記憶部２５２ａに格納されている各種プログラムを読み出して、例えば、ＲＡＭ２５３ａ等に展開し、順次実行することで転送制御部２６０の各種機能を実現する。
【００９０】
次に、実施例２に係る通信端末２００による転送通知処理について説明する。図１０は、実施例２に係る通信端末２００による転送通知処理の処理手順を示すフローチャートである。
【００９１】
図１０に示すように、人体通信実行部２６１は、通信端末２００が人体に接続されると（ステップＳ３０１肯定）、通信端末２００と同一の人体に接続する他の通信端末に対して接続要求を送信する（ステップＳ３０２）。
【００９２】
そして、人体通信実行部２６１は、接続要求に対する接続応答を他の通信端末から受信したか否かを判定する（ステップＳ３０３）。人体通信実行部２６１は、接続応答を他の通信端末から受信していない場合には（ステップＳ３０３否定）、所定の時間だけ待機し（ステップＳ３０４）、他の通信端末に対して接続要求を再度送信する（ステップＳ３０２）。
【００９３】
一方、人体通信実行部２６１は、接続応答を他の通信端末から受信した場合には（ステップＳ３０３肯定）、人体を経由して他の通信端末との間で通信リンクを確立する（ステップＳ３０５）。これにより、人体通信実行部２６１は、通信端末２００と同一の人体に接続する他の通信端末との間で人体通信を実施する。
【００９４】
そして、認証部２６２は、通信端末２００が保持する認証コードと、他の通信端末が保持する認証コードとが一致するか否かを判定する（ステップＳ３０６）。通信端末２００が保持する認証コードと、他の通信端末が保持する認証コードとが一致しない場合には（ステップＳ３０６否定）、人体通信実行部２６１は、人体通信を切断し（ステップＳ３０７）、処理をステップＳ３０１に戻す。
【００９５】
一方、認証部１６２によって通信端末２００が保持する認証コードと、他の通信端末が保持する認証コードとが一致すると判定された場合には（ステップＳ３０６肯定）、電話番号取得部２６３は、人体通信を用いて他の通信端末から電話番号を取得する。そして、電話番号取得部２６３は、電話番号を取得した他の通信端末を取得通信端末として転送関連情報記憶部１５０の取得リストに記憶させる（ステップＳ３０８）。
【００９６】
そして、通信端末２００は、ステップＳ３０５にて他の通信端末との間で確立された通信リンクが切断されたか否かを判定する（ステップＳ３０９）。通信端末２００は、他の通信端末との間で確立された通信リンクが切断された場合には（ステップＳ３０９肯定）、処理をステップＳ３１０に進める。一方、通信端末２００は、他の通信端末との間で確立された通信リンクが切断されていない場合には（ステップＳ３０９否定）、該通信リンクが切断されるまで待機する。
【００９７】
そして、接続状態検出部２６４は、他の通信端末との間で確立された通信リンクが切断されると、通信端末２００が人体に接続しているか否かを検出する（ステップＳ３１０）。なお、通信端末２００が人体に接続しているか否かの検出は、通信端末２００の人体通信部が備える二つ（送信用と受信用）の電極の双方が人体に接触しており、送信用の電極が誘起する微弱な電界を受信用の電極が検知しているか否かを検出することで行われる。そして、転送先通知部２６５は、接続状態検出部２６４により通信端末２００が人体に接続していると検出された場合には（ステップＳ３１０肯定）、取得通信端末を取得リストから削除する（ステップＳ３１１）。
【００９８】
一方、転送先通知部２６５は、接続状態検出部２６４により通信端末２００が人体に接続していないと検出された場合には（ステップＳ３１０否定）、取得通信端末を転送関連情報記憶部１５０の転送先リストに記憶させる（ステップＳ３１２）。そして、転送先通知部２６５は、転送先リストに含まれる通信端末の電話番号を、転送処理を行うセンター装置へ通知する（ステップＳ３１３）。
【００９９】
上述してきたように、実施例２に係る通信端末２００は、自端末と同一の人体に接続する他の通信端末から電話番号を取得する。そして、通信端末２００は、他の通信端末から電話番号を取得すると、自端末が人体に接続しているか否かを検出する。そして、通信端末２００は、自端末の人体への接続状態の検出結果に基づいて、電話番号を取得した取得通信端末を着呼の転送先にするか否かを決定する。すなわち、通信端末２００は、自端末が人体に接続している場合には、取得通信端末を取得リストから削除して着呼の転送先にしないと決定する。また、通信端末２００は、自端末が人体に接続している場合には、取得通信端末を転送先リストに記憶させて着呼の転送先にすると決定する。
【０１００】
このため、実施例２に係る通信端末２００は、利用者が持ち出した通信端末を自動的に着呼の転送先に設定するとともに、利用者が持ち出していない通信端末を自動的に着呼の転送元にすることができる。これにより、実施例２に係る通信端末１００は、利用者が持ち出した通信端末に着呼を転送することができる。
【０１０１】
また、実施例２に係る通信端末２００は、人体通信を行う他の通信端末が同一の通信端末グループに属するか否かを認証し、同一の通信端末グループに属すると判定された他の通信端末から伝湾番号を取得する。
【０１０２】
これにより、実施例２に係る通信端末２００は、同一の通信端末グループに属する通信端末のみから電話番号の取得を行うことになるので、通信端末グループに属さない通信端末が通信端末グループに不正にアクセスすることを防止することができる。
【実施例３】
【０１０３】
上記実施例１では、自端末と同一のクレードルに接続する他の通信端末から電話番号を取得し、自端末のクレードルへの接続状態に基づいて、他の通信端末を着呼の転送先にするか否かを決定する通信端末について説明した。しかし、フェムト基地局が形成する同一のフェムトセルに接続する他の通信端末から電話番号を取得し、自端末のフェムトセルへの接続状態に基づいて、他の通信端末を着呼の転送先にするか否かを決定するようにしてもよい。そこで、実施例３では、自端末と同一のフェムトセルに接続する他の通信端末から電話番号を取得し、自端末のフェムトセルへの接続状態に基づいて、他の通信端末を着呼の転送先にするか否かを決定する通信端末について説明する。
【０１０４】
まず、図１１を用いて、実施例３に係る通信システムによる転送通知方法について説明する。図１１は、実施例３に係る通信システムによる転送通知方法を説明するための図である。図１１では、２台の通信端末３００ａ、３００ｂが存在する例を示す。
【０１０５】
ここで、図１１に示した例において、通信端末３００ａ、３００ｂは、同一の利用者によって保有されており、同一の通信端末グループに属するものとする。このため、図１１に示す例では、通信端末３００ａ、３００ｂは、通信端末グループを識別するための認証コードとして、「ＸＸＸ」をともに保持する。また、図１１に示した例では、通信端末３００ａの電話番号は、「ＡＡＡ」であるものとし、通信端末３００ｂの電話番号は、「ＢＢＢ」であるものとする。
【０１０６】
また、図１１に示した例では、通信端末３００ａ、３００ｂは、実施例１と異なり、相互に同一の通信媒体であるフェムトセル３０に接続しているものとする。フェムトセル３０は、通常のマクロセルよりも小さい半径数１０ｍ程度の無線通信エリアであり、フェムト基地局と呼ばれる基地局によって形成される。
【０１０７】
このような構成の下で、通信端末３００ａは、自端末と同一のフェムトセル３０に接続する通信端末３００ｂとの間でフェムトセルを用いた通信（以下「フェムトセル通信」）を行う（図１１の（１）参照）。具体的には、通信端末３００ａは、自端末がフェムトセル３０に接続されると、フェムトセル３０を経由して通信端末３００ｂとの間で通信リンクを確立することにより、フェムトセル通信を実施する。
【０１０８】
そして、通信端末３００ａは、フェムトセル通信を行う通信端末３００ｂが、自端末と同一の通信端末グループに属するか否かを認証する（図１１の（２）参照）。具体的には、通信端末３００ａは、自端末が保持する認証コードと、通信端末３００ｂが保持する認証コードとが一致するか否かを認証する。図１１に示した例では、通信端末３００ａは認証コード「ＸＸＸ」を保持し、通信端末３００ｂは認証コード「ＸＸＸ」を保持する。したがって、通信端末３００ａは、認証の結果、通信端末３００ｂが自端末と同一の通信端末グループに属すると判定する。
【０１０９】
そして、通信端末３００ａは、フェムトセル通信を行う他の通信端末が自端末と同一の通信端末グループに属すると判定された場合に、フェムトセル通信を用いて他の通信端末から電話番号を取得する。そして、通信端末３００ａは、フェムトセル通信を用いて電話番号を取得した他の通信端末（以下「取得通信端末」という）のリスト（以下「取得リスト」という）を記憶する（図１１の（３）参照）。図１１に示した例では、通信端末３００ａは、認証の結果、フェムトセル通信を用いて通信端末３００ｂから電話番号「ＢＢＢ」を取得し、取得通信端末として通信端末３００ｂを含む取得リストを記憶する。
【０１１０】
このように、通信端末３００ａ、３００ｂは、自端末と同一のフェムトセル３０に接続する他の通信端末との間でフェムトセル通信を行い、フェムトセル通信を行う他の通信端末が同一の通信端末グループに属するか否かを認証する。そして、通信端末３００ａ、３００ｂは、認証の結果、フェムトセル通信を用いて他の通信端末から電話番号を取得し、取得通信端末を含む取得リストを記憶する。
【０１１１】
ここで、通信端末３００ａ、３００ｂのうちどちらかが利用者によって持ち出された場合、通信端末３００ａ、３００ｂのフェムトセル３０への接続状態が変化する。例えば、図１１に例示するように、通信端末３００ａ、３００ｂのうち通信端末３００ａが利用者により持ち出され、通信端末３００ｂが利用者により持ち出されていないものとする。この場合、通信端末３００ａはフェムトセル３０に接続しなくなるが、通信端末３００ｂはフェムトセル３０に継続して接続する。このような場合に、通信端末３００ａ、３００ｂは、自端末のフェムトセル３０への接続状態を検出し、その検出結果に基づいて、取得通信端末を着呼の転送先にするか否かを決定する。なお、以下では、取得通信端末のうち着呼の転送先となる通信端末のリストを「転送先リスト」と呼ぶことがある。
【０１１２】
図１１を用いて具体的に説明する。通信端末３００ａは、通信端末３００ｂを含む取得リストを記憶した場合に、自端末がフェムトセル３０に接続しているか否かを検出する（図１１の（４）参照）。図１１に示した例では、通信端末３００ａは、利用者により持ち出されているため、通信端末３００ａは、自端末がフェムトセル３０に接続していないと検出する。
【０１１３】
そして、通信端末３００ａは、自端末のフェムトセル３０への接続状態への検出結果に基づいて、取得通信端末を着呼の転送先にするか否かを決定する（図１１の（５）参照）。図１１に示した例では、通信端末３００ａは、自端末がフェムトセル３０に接続していると検出するため、通信端末３００ｂを取得リストから削除して、転送先リストに通信端末３００ｂを追加しない。
【０１１４】
同様に、通信端末３００ｂは、通信端末３００ａを含む取得リストを記憶した場合に、自端末がフェムトセル３０に接続しているか否かを検出し、その検出結果に基づいて、取得通信端末を着呼の転送先にするか否かを決定する。図１１に示した例では、通信端末３００ｂは、自端末がフェムトセル３０に接続していないと検出し、転送先リストに通信端末３００ａを追加する。そして、通信端末３００ｂは、転送先リストに含まれる通信端末３００ａの電話番号を、転送処理を行うセンター装置へ通知する。
【０１１５】
これにより、センター装置は、通信端末３００ｂに着呼があった場合に、通信端末３００ｂへの着呼を通信端末３００ａに転送する。一方、センター装置は、通信端末３００ａに着呼があった場合に、通信端末３００ａへの着呼を通信端末３００ｂに転送しない。すなわち、利用者が持ち出した通信端末３００ａが自動的に着呼の転送先に設定されるとともに、利用者が持ち出していない通信端末３００ｂが自動的に着呼の転送元に設定される。このため、通信端末３００ａを持ち出した利用者は、特に煩わしい転送設定作業を行うことなく、また、転送の設定内容を意識することなく、通信端末３００ｂへの着呼に対して通信端末３００ａを用いて応答することができる。
【０１１６】
次に、図１２を用いて、実施例３に係る通信端末３００の構成について説明する。図１２は、実施例３に係る通信端末３００の構成例を示す図である。なお、図１２に示した通信端末３００は、図１１に示した通信端末３００ａ、３００ｂに対応する。
【０１１７】
図１２に示すように、通信端末３００は、入力部１１０と、出力部１２０と、無線通信部１３０と、制御部１４０と、転送関連情報記憶部１５０と、転送制御部３６０とを有する。このうち、図１１に示す入力部１１０、出力部１２０、無線通信部１３０、制御部１４０、転送関連情報記憶部１５０の説明は、図２に示した入力部１１０、出力部１２０、無線通信部１３０、制御部１４０、転送関連情報記憶部１５０の説明と同様である。
【０１１８】
転送制御部３６０は、着呼の転送先を決定する処理を行う。図１２に示すように、転送制御部３６０は、フェムトセル通信実行部３６１と、認証部３６２と、電話番号取得部３６３と、接続状態検出部３６４と、転送先通知部３６５とを有する。
【０１１９】
フェムトセル通信実行部３６１は、通信端末３００と同一のフェムトセルに接続する他の通信端末との間でフェムトセル通信を行う。具体的には、フェムトセル通信実行部３６１は、通信端末３００がフェムトセルに接続されると、フェムトセルを経由して他の通信端末との間で通信リンクを確立することにより、フェムトセル通信を実施する。
【０１２０】
認証部３６２は、フェムトセル通信が行われる他の通信端末が通信端末３００と同一の通信端末グループに属するか否かを判定する。具体的には、認証部３６２は、通信端末３００が保持する認証コードと、他の通信端末が保持する認証コードとが一致するか否かを認証することにより、通信端末３００と同一の通信端末グループに属するか否かを判定する。
【０１２１】
電話番号取得部３６３は、認証部３６２によって通信端末３００と同一の通信端末グループに属すると判定された場合に、フェムトセル通信を用いて他の通信端末から電話番号を取得する。そして、電話番号取得部３６３は、電話番号を取得した他の通信端末を取得通信端末として転送関連情報記憶部１５０の取得リストに記憶させる。
【０１２２】
接続状態検出部３６４は、電話番号取得部３６３によって取得通信端末が取得リストに記憶されると、通信端末３００がフェムトセルに接続しているか否かを検出する。例えば、接続状態検出部３６４は、フェムト基地局からの受信電波の電力を無線通信部１３０から受け取り、受け取った受信電波の電力を監視することにより、通信端末３００がフェムトセルに接続しているか否かを検出する。
【０１２３】
転送先通知部３６５は、接続状態検出部３６４による検出結果に基づいて、取得通信端末を着呼の転送先にするか否かを決定する。具体的には、転送先通知部３６５は、接続状態検出部３６４により通信端末３００がフェムトセルに接続していないと検出された場合には、取得通信端末を取得リストから削除する。一方、転送先通知部３６５は、接続状態検出部３６４により通信端末３００がフェムトセルに接続していると検出された場合には、取得通信端末を転送先リストに記憶させる。そして、転送先通知部３６５は、転送先リストに含まれる通信端末の電話番号を、転送処理を行うセンター装置へ通知する。
【０１２４】
次に、図１３を用いて、図１２に示した通信端末３００のハードウェア構成例について説明する。図１３は、実施例３に係る通信端末３００のハードウェア構成図である。なお、以下では、図４に示した構成部位と同一の構成部位には同一の符号を付してその詳細な説明を省略する。図１３に示すように、通信端末３００は、操作入力部１１０ａと、表示部１２０ａと、音声入出力部１２０ｂと、マイク１２１と、スピーカ１２２と、無線通信部１３０ａと、アンテナ１３１と、記憶部３５０ａと、プロセッサ３６０ａとを有する。
【０１２５】
記憶部３５０ａ及びプロセッサ３６０ａは、図１２に示した制御部１４０や転送制御部３６０の機能を実現する。具体的には、記憶部３５０ａのプログラム記憶部３５１ａは、図１２に示した転送制御部３６０による処理を実現する各種プログラムを記憶する。また、データ記憶部３５２ａやＲＡＭ３５３ａは、図１２に示した転送関連情報記憶部１５０を記憶する。そして、プロセッサ３６０ａは、プログラム記憶部３５１ａに格納されている各種プログラムを読み出して、例えば、ＲＡＭ３５３ａ等に展開し、順次実行することで転送制御部３６０の各種機能を実現する。
【０１２６】
次に、実施例３に係る通信端末３００による転送通知処理について説明する。図１４は、実施例３に係る通信端末３００による転送通知処理の処理手順を示すフローチャートである。
【０１２７】
図１４に示すように、フェムトセル通信実行部３６１は、通信端末３００がフェムトセルに接続されると（ステップＳ４０１肯定）、通信端末３００と同一のフェムトセルに接続する他の通信端末に対して接続要求を送信する（ステップＳ４０２）。
【０１２８】
そして、フェムトセル通信実行部３６１は、接続要求に対する接続応答を他の通信端末から受信したか否かを判定する（ステップＳ４０３）。フェムトセル通信実行部３６１は、接続応答を他の通信端末から受信していない場合には（ステップＳ４０３否定）、所定の時間だけ待機し（ステップＳ４０４）、他の通信端末に対して接続要求を再度送信する（ステップＳ４０２）。
【０１２９】
一方、フェムトセル通信実行部３６１は、接続応答を他の通信端末から受信した場合には（ステップＳ４０３肯定）、フェムトセルを経由して他の通信端末との間で通信リンクを確立する（ステップＳ４０５）。これにより、フェムトセル通信実行部３６１は、通信端末３００と同一のフェムトセルに接続する他の通信端末との間でフェムトセル通信を実施する。
【０１３０】
そして、認証部３６２は、通信端末３００が保持する認証コードと、他の通信端末が保持する認証コードとが一致するか否かを判定する（ステップＳ４０６）。通信端末３００が保持する認証コードと、他の通信端末が保持する認証コードとが一致しない場合には（ステップＳ４０６否定）、フェムトセル通信実行部３６１は、フェムトセル通信を切断し（ステップＳ４０７）、処理をステップＳ４０１に戻す。
【０１３１】
一方、認証部３６２によって通信端末３００が保持する認証コードと、他の通信端末が保持する認証コードとが一致すると判定された場合には（ステップＳ４０６肯定）、電話番号取得部３６３は、フェムトセル通信を用いて他の通信端末から電話番号を取得する。そして、電話番号取得部３６３は、電話番号を取得した他の通信端末を取得通信端末として転送関連情報記憶部１５０の取得リストに記憶させる（ステップＳ４０８）。
【０１３２】
そして、通信端末３００は、ステップＳ４０５にて他の通信端末との間で確立された通信リンクが切断されたか否かを判定する（ステップＳ４０９）。通信端末３００は、他の通信端末との間で確立された通信リンクが切断された場合には（ステップＳ４０９肯定）、処理をステップＳ４１０に進める。一方、通信端末３００は、他の通信端末との間で確立された通信リンクが切断されていない場合には（ステップＳ４０９否定）、該通信リンクが切断されるまで待機する。
【０１３３】
そして、接続状態検出部３６４は、他の通信端末との間で確立された通信リンクが切断されると、通信端末３００がフェムトセルに接続しているか否かを検出する（ステップＳ４１０）。具体的には、接続状態検出部３６４は、フェムト基地局からの受信電波の電力を無線通信部１３０から受け取り、受け取った受信電波の電力を監視することにより、通信端末３００がフェムトセルに接続しているか否かを検出する。そして、転送先通知部３６５は、接続状態検出部３６４により通信端末３００がフェムトセルに接続していないと検出された場合には（ステップＳ４１０否定）、取得通信端末を取得リストから削除する（ステップＳ４１１）。
【０１３４】
一方、転送先通知部３６５は、接続状態検出部３６４により通信端末３００がフェムトセルに接続していると検出された場合には（ステップＳ４１０肯定）、取得通信端末を転送関連情報記憶部１５０の転送先リストに記憶させる（ステップＳ４１２）。そして、転送先通知部３６５は、転送先リストに含まれる通信端末の電話番号を、転送処理を行うセンター装置へ通知する（ステップＳ４１３）。
【０１３５】
上述してきたように、実施例３に係る通信端末３００は、自端末と同一のフェムトセルに接続する他の通信端末から電話番号を取得する。そして、通信端末３００は、他の通信端末から電話番号を取得すると、自端末がフェムトセルに接続しているか否かを検出する。そして、通信端末３００は、自端末のフェムトセルへの接続状態の検出結果に基づいて、電話番号を取得した取得通信端末を着呼の転送先にするか否かを決定する。すなわち、通信装置３００は、自端末がフェムトセルに接続していない場合には、取得通信端末を取得リストから削除して着呼の転送先にしないと決定する。また、通信端末３００は、自端末がフェムトセルに接続している場合には、取得通信端末を転送先リストに記憶させて着呼の転送先にすると決定する。
【０１３６】
このため、実施例３に係る通信端末３００は、利用者が持ち出した通信端末を自動的に着呼の転送先に設定するとともに、利用者が持ち出していない通信端末を自動的に着呼の転送元にすることができる。これにより、実施例３に係る通信端末３００は、利用者が持ち出した通信端末に着呼を転送することができる。
【０１３７】
また、実施例３に係る通信端末３００は、人体通信を行う他の通信端末が同一の通信端末グループに属するか否かを認証し、同一の通信端末グループに属すると判定された他の通信端末から電話番号を取得する。
【０１３８】
これにより、実施例２に係る通信端末２００は、同一の通信端末グループに属する通信端末のみから電話番号の取得を行うことになるので、通信端末グループに属さない通信端末が通信端末グループに不正にアクセスすることを防止することができる。
【実施例４】
【０１３９】
ところで、本願の開示する通信端末等は、上述した実施例以外にも、種々の異なる形態にて実施されてもよい。そこで、実施例４では、本願の開示する通信端末等の他の実施例について説明する。
【０１４０】
［固定電話］
上記実施例１〜３では、複数の通信端末間で通信端末グループを形成する例を示したが、通信端末グループに固定電話や、シップサーバ経由で通信可能なコンピュータが含まれてもよい。例えば、クレードル通信や人体通信を行うことが可能である固定電話と、通信端末とが同一の通信端末グループに属していてもよい。これにより、例えば、利用者が通信端末を持ち出して外出している際に、固定電話への着呼を通信端末へ転送することができる。その結果、利用者は、外出中であっても、通信端末を用いて、固定電話への着呼に対して応答することができる。
【０１４１】
［メールの転送］
上記実施例１〜３では、第一の通信端末への着呼を第二の通信端末へ転送する例を示したが、第一の通信端末へのメールを第二の通信端末へ転送するようにしてもよい。
【０１４２】
［プログラム］
また、上記実施例で説明した各種の処理は、あらかじめ用意されたプログラムをパーソナルコンピュータ、ワークステーション、携帯電話、ＰＨＳ端末、移動体通信端末又はＰＤＡなどのコンピュータで実行することによって実現することもできる。そこで、以下では、図１５を用いて、図２に示した通信端末１００を実現するための通信端末制御プログラムを実行するコンピュータの一例を説明する。
【０１４３】
図１５は、転送通知プログラムを実行するコンピュータを示す図である。同図に示すように、コンピュータ１０００は、ＲＡＭ（Random Access Memory）１０１０と、キャッシュ１０２０と、ＨＤＤ（Hard Disk Drive）１０３０と、ＲＯＭ（Read Only Memory）１０４０と、ＣＰＵ１０５０と、バス１０６０とを有する。ＲＡＭ１０１０、キャッシュ１０２０、ＨＤＤ１０３０、ＲＯＭ１０４０、ＣＰＵ１０５０は、バス１０６０によって接続されている。
【０１４４】
ＲＯＭ１０４０には、図２に示した通信端末１００と同様の機能を発揮する通信端末制御プログラムが予め記憶されている。具体的には、ＲＯＭ１０４０には、クレードル通信実行プログラム１０４１と、電話番号取得プログラム１０４２と、接続状態検出プログラム１０４３と、転送先通知プログラム１０４４とが記憶されている。
【０１４５】
そして、ＣＰＵ１０５０は、これらのクレードル通信実行プログラム１０４１と、電話番号取得プログラム１０４２と、接続状態検出プログラム１０４３と、転送先通知プログラム１０４４とを読み出して実行する。これにより、図１５に示すように、クレードル通信実行プログラム１０４１は、クレードル通信実行プロセス１０５１になる。また、電話番号取得プログラム１０４２は、電話番号取得プロセス１０５２になる。また、接続状態検出プログラム１０４３は、接続状態検出プロセス１０５３になる。また、転送先通知プログラム１０４４は、転送先通知プロセス１０５４になる。なお、クレードル通信実行プロセス１０５１は、図２に示したクレードル通信実行部１６１に対応する。また、電話番号取得プロセス１０５２は、図２に示した電話番号取得部１６３に対応する。また、接続状態検出プロセス１０５３は、図２に示した接続状態検出部１６４に対応する。また、転送先通知プロセス１０５４は、図２に示した転送先通知部１６５に対応する。
【０１４６】
また、ＨＤＤ１０３０には、図１５に示すように、転送関連情報１０３１が設けられる。転送関連情報１０３１は、例えば、図２に示した転送関連情報記憶部１５０に対応する。
【０１４７】
なお、上記した各プログラム１０４１〜１０４４については、必ずしも最初からＲＯＭ１０４０に記憶させておく必要はなく、例えば、ＣＤ−ＲＯＭ等の記憶媒体に記憶されたプログラムを、コンピュータ１０００が読み出して実行するようにしてもよい。また、公衆回線、インターネット、ＬＡＮ、ＷＡＮ等を介してコンピュータ１０００に接続される他のコンピュータ（またはサーバ）などに各プログラムを記憶させておき、コンピュータ１０００がこれらから各プログラムを読み出して実行するようにしてもよい。
【符号の説明】
【０１４８】
１０  クレードル
２０  人体
３０  フェムトセル
１００、２００、３００  １００ａ、１００ｂ、２００ａ、２００ｂ、３００ａ、３００ｂ  通信端末
１１０  入力部
１２０  出力部
１３０  無線通信部
１４０  制御部
１５０  転送関連情報記憶部
１６０、２６０、３６０  転送制御部
１６１  クレードル通信実行部
１６２、２６２、３６２  認証部
１６３、２６３、３６３  電話番号取得部
１６４、２６４、３６４  接続状態検出部
１６５、２６５、３６５  転送先通知部
２６１  人体通信実行部
３６１  フェムトセル通信実行部
【図１】
0005707753.tif 000002
【図２】
0005707753.tif 000003
【図３】
0005707753.tif 000004
【図４】
0005707753.tif 000005
【図５】
0005707753.tif 000006
【図６】
0005707753.tif 000007
【図７】
0005707753.tif 000008
【図８】
0005707753.tif 000009
【図９】
0005707753.tif 000010
【図１０】
0005707753.tif 000011
【図１１】
0005707753.tif 000012
【図１２】
0005707753.tif 000013
【図１３】
0005707753.tif 000014
【図１４】
0005707753.tif 000015
【図１５】
0005707753.tif 000016